(57)【要約】【課題】  光ファイバ先端への光コネクタの組み立てを、簡単かつ低コスト化で実現できるようにする。【解決手段】  光コネクタ３には、半割りの一対の素子の間に光ファイバを保持するクランプ部がある。このクランプ部の素子間に予め楔２１を割り込ませて、素子を開放しておく光コネクタ用楔挿脱部品２を光コネクタプラグ３に取り付けた構造の楔部品付き光コネクタ１を提供する。光コネクタ用楔挿脱部品２は、楔２１が突設されている楔付き部品２１と、この楔付き部品２１と光コネクタ３との間に割り込ませて、光コネクタ３から楔付き部品２１を離脱させる離脱部品２３とからなる。【選択図】        図１
2005062514.tif 000002
【特許請求の範囲】
【請求項１】
光ファイバ（３８）を内装固定したフェルール（３１）の突き合わせ接続用の先端面（３１ａ）に対向する後端側に、前記フェルールの後端側から突出された前記光ファイバと該光ファイバに対して突き合わせ接続された別の光ファイバ（４、４ａ）とを半割りの素子（３１ｃ、３２１、３２１ａ、３２１ｂ）の間にバネ（３２２）の弾性によってクランプして、光ファイバ同士の接続状態を維持するためのクランプ部（３２）を有する光コネクタ（３）の、前記クランプ部の外側から前記素子の間に割り込ませることによって前記素子間を押し開いて、素子間への前記別の光ファイバの挿脱が可能な状態を維持する楔（２２、５３）が突設されている楔付き部品（２１、５４）と、
前記楔を前記光コネクタの前記クランプ部の素子間に割り込ませて前記光コネクタに取り付けられた前記楔付き部品と該楔付き部品が取り付けられた光コネクタとの間に挿入される離脱用挿入片（２３１、５４４）によって、前記楔付き部品と前記光コネクタとの間を押し開き、前記楔付き部品を前記光コネクタから離脱させる離脱部品（２３、５５）とからなることを特徴とする光コネクタ用楔挿脱部品（２、５６）。
【請求項２】
前記楔付き部品は、前記楔が突設されているベース部（２１２）の対向する両側から突設された突壁（２１３、２１３ａ、２１３ｂ）の間のコネクタ収容領域（２１１）に、前記光コネクタを収容できるようになっており、
前記突壁には、前記離脱部品の前記離脱用挿入片を、前記クランプ部の素子間に前記楔を割り込ませることにより該楔付き部品に取り付けられた前記光コネクタと前記ベース部との間に挿入される前記離脱用挿入片が挿通される開口部（２１４）が形成されており、
前記離脱用挿入片の前記コネクタ収容領域から前記開口部を介して前記突壁の外面側に突出された部分に設けられている操作部（２３２）を操作して前記離脱用挿入片を移動させることで、前記楔付き部品と前記光コネクタとの間を押し開いて、前記楔付き部品を前記光コネクタから離脱できるようになっていることを特徴とする請求項１記載の光コネクタ用楔挿脱部品。
【請求項３】
前記離脱部品の前記離脱用挿入片には、前記クランプ部の素子間に前記楔が割り込まれた前記光コネクタと前記楔付き部品との間に配置される挿入配置部（２３４）と、前記光コネクタと前記楔付き部品との間に挿入することで、光コネクタと前記楔付き部品との間を押し開いて、前記楔付き部品を前記光コネクタから離脱せしめるテーパ部（２３６）とが形成されており、
前記離脱部品の前記挿入配置部を前記光コネクタと前記楔付き部品との間に配置したときに、前記光コネクタの前記クランプ部の素子間に前記楔が割り込まれた状態を維持し、前記離脱部品を移動して前記光コネクタと前記楔付き部品との間に前記テーパ部を挿入することで、前記テーパ部によって前記楔付き部品と前記光コネクタとの間を押し開いて、前記楔付き部品を前記光コネクタから離脱できるようになっていることを特徴とする請求項１又は２記載の光コネクタ用楔挿脱部品。
【請求項４】
光ファイバを内装固定したフェルールの突き合わせ接続用の先端面に対向する後端側に、前記フェルールの後端側から突出された前記光ファイバと該光ファイバに対して突き合わせ接続された別の光ファイバとを半割りの素子の間にバネの弾性によってクランプすることで、光ファイバ同士の接続状態を維持するクランプ部を有する光コネクタの外側に、請求項１〜３のいずれかに記載の光コネクタ用楔挿脱部品を組み立てて構成されており、
前記楔付き部品は、前記クランプ部の素子間に前記楔を割り込ませて前記光コネクタに取り付けられており、
前記離脱部品は、前記離脱用挿入片を、前記楔付き部品と前記光コネクタとの間に挿入した状態で前記光コネクタに対して取り付けられていることを特徴とする楔部品付き光コネクタ（１、５）。
【発明の詳細な説明】
【技術分野】
【０００１】
本発明は、光ファイバを内装固定したフェルールの突き合わせ接続用の先端面に対向する後端側に、フェルール側の光ファイバと該光ファイバに対して突き合わせ接続された別の光ファイバとを半割りの素子の間にバネの弾性によってクランプする機構を具備し、この機構によって、光ファイバ先端に簡単に組み立てることができる光コネクタに適用され、この光コネクタの前記クランプ機構を開放状態にする光コネクタ用楔挿脱部品、及び、この光コネクタ用楔挿脱部品によってクランプ部の開放状態が保たれた楔部品付き光コネクタに関する。
【背景技術】
【０００２】
近年、光ファイバ先端への組立作業を、工場以外の接続現場にて行うことができる光コネクタとして、予め光ファイバを内装固定して先端面に研磨を施したフェルールと、このフェルールの後部（先端面と対向する位置）に配置したクランプ部とを具備し、このクランプ部においてフェルール側の光ファイバと、この光ファイバに突き当てた別の接続用の光ファイバとを、該クランプ部の半割りの素子にクランプすることで突き合わせ接続状態を維持し、短時間で光コネクタの組立を行うことができるものが知られている。ここで、クランプ部はサイズが小さいため、素子の開閉操作を行う専用の工具（光コネクタ組立工具）が提案されている（例えば、特許文献１、２）。
【特許文献１】特開２００２−２３００６号公報
【特許文献２】特開２００２−５５２５９号公報
【０００３】
上述した光コネクタ組立工具は、光コネクタを支持するホルダ部と、光コネクタのクランプ部の素子の間への楔の挿脱によって前記クランプ部の素子を開閉する開閉機構とが、基台上に搭載された構造である。前記開閉機構は、レバーの操作によって、前記楔をホルダ部に対して進退動させる構造になっている。この光コネクタ組立工具では、ホルダ部の位置決め溝に光コネクタを離脱可能に嵌め込むだけで、光コネクタのクランプ部を、開閉機構による素子間への楔の挿脱が可能な位置に簡単に位置決めできる構成になっている。
【発明の開示】
【発明が解決しようとする課題】
【０００４】
しかしながら、上述した構造の光コネクタ組立工具では、光コネクタのクランプ部の操作を実現するために、サイズの小さい素子の間に、高精度に加工された楔を正確に挿脱できるように、精密に構成される必要があり、低コスト化が困難であるといった問題があった。また、構造上、小型化に限界があるため、例えば、光成端箱の内部に挿入して使用することなど、作業スペースが狭隘である場合には、挿入、使用が不可能な場合があった。
【０００５】
本発明は上記事情に鑑みてなされたもので、光ファイバ先端への光コネクタの組立作業を低コストで実現でき、しかも、小型化が容易であるため狭隘な作業スペースでの使用でも作業性の確保が容易な光コネクタ用楔挿脱部品、並びに、楔部品付き光コネクタを提供することを目的とする。
【課題を解決するための手段】
【０００６】
本発明は、上記課題を解決して係る目的を達成するために、以下の構成を提供する。
本発明では、光ファイバを内装固定したフェルールの突き合わせ接続用の先端面に対向する後端側に、前記フェルールの後端側から突出された前記光ファイバと該光ファイバに対して突き合わせ接続された別の光ファイバとを半割りの素子の間にバネの弾性によってクランプして、光ファイバ同士の接続状態を維持するためのクランプ部を有する光コネクタの、前記クランプ部の外側から前記素子の間に割り込ませることによって前記素子間を押し開いて、素子間への前記別の光ファイバの挿脱が可能な状態を維持する楔が突設されている楔付き部品と、前記楔を前記光コネクタの前記クランプ部の素子間に割り込ませて前記光コネクタに取り付けられた前記楔付き部品と該楔付き部品が取り付けられた光コネクタとの間に挿入される離脱用挿入片によって、前記楔付き部品と前記光コネクタとの間を押し開き、前記楔付き部品を前記光コネクタから離脱させる離脱部品とからなることを特徴とする光コネクタ用楔挿脱部品を提供する。
この光コネクタ用楔挿脱部品としては、前記楔付き部品は、前記楔が突設されているベース部の対向する両側から突設された突壁の間のコネクタ収容領域に、前記光コネクタを収容できるようになっており、前記突壁には、前記離脱部品の前記離脱用挿入片を、前記クランプ部の素子間に前記楔を割り込ませることにより該楔付き部品に取り付けられた前記光コネクタと前記ベース部との間に挿入される前記離脱用挿入片が挿通される開口部が形成されており、前記離脱用挿入片の前記コネクタ収容領域から前記開口部を介して前記突壁の外面側に突出された部分に設けられている操作部を操作して前記離脱用挿入片を移動させることで、前記楔付き部品と前記光コネクタとの間を押し開いて、前記楔付き部品を前記光コネクタから離脱できるようになっている構成も採用可能である。
また、前記離脱部品の前記離脱用挿入片には、前記クランプ部の素子間に前記楔が割り込まれた前記光コネクタと前記楔付き部品との間に配置される挿入配置部と、前記光コネクタと前記楔付き部品との間に挿入することで、光コネクタと前記楔付き部品との間を押し開いて、前記楔付き部品を前記光コネクタから離脱せしめるテーパ部とが形成されており、前記離脱部品の前記挿入配置部を前記光コネクタと前記楔付き部品との間に配置したときに、前記光コネクタの前記クランプ部の素子間に前記楔が割り込まれた状態を維持し、前記離脱部品を移動して前記光コネクタと前記楔付き部品との間に前記テーパ部を挿入することで、前記テーパ部によって前記楔付き部品と前記光コネクタとの間を押し開いて、前記楔付き部品を前記光コネクタから離脱できるようになっている構成も採用可能である。
また、本発明では、光ファイバを内装固定したフェルールの突き合わせ接続用の先端面に対向する後端側に、前記フェルールの後端側から突出された前記光ファイバと該光ファイバに対して突き合わせ接続された別の光ファイバとを半割りの素子の間にバネの弾性によってクランプすることで、光ファイバ同士の接続状態を維持するクランプ部を有する光コネクタの外側に、本発明に係る光コネクタ用楔挿脱部品を組み立てて構成されており、前記楔付き部品は、前記クランプ部の素子間に前記楔を割り込ませて前記光コネクタに取り付けられており、前記離脱部品は、前記離脱用挿入片を、前記楔付き部品と前記光コネクタとの間に挿入した状態で前記光コネクタに対して取り付けられていることを特徴とする楔部品付き光コネクタを提供する。
【０００７】
本発明は、光コネクタと、この光コネクタのクランプ部の素子間に楔を割り込ませて前記光コネクタに取り付けた楔付き部品との間に割り込ませるようにして挿入される離脱部品の離脱用挿入片によって、光コネクタと楔付き部品との間を押し開くようにして、クランプ部の素子間からの楔を抜き出させ、光コネクタから楔付き部品を離脱させるものである。離脱部品は、素子間に挿入されている楔を、素子間から直接引き抜く場合に比べて、軽い力で、素子間からの楔の引き抜きを実現するためのものであり、例えば、離脱用挿入片を、光コネクタと楔付き部品との間に押し込んでいくことで、光コネクタと楔付き部品との間を押し開く楔機能（前述の「テーパ部」等）を有するものや、楔付き部品との当接部分を支点とする回転によって梃子状に操作することで、光コネクタと楔付き部品との間を押し開く梃子機能を有するもの等が採用可能である。また、離脱部品としては、光コネクタと楔付き部品との間への押し込みによって、光コネクタと楔付き部品との間を押し開く構成の他、光コネクタと楔付き部品との間に挿入しておいた離脱用挿入片の回転変位等によって、光コネクタと楔付き部品との間を押し開く構成も採用可能である。
【発明の効果】
【０００８】
本願発明に係る、楔部品付き光コネクタは、従来のような専用工具を用いることなく、光ファイバ先端に光コネクタを組み立てることができる。また、光コネクタ用楔挿脱部品は、構造が非常に簡単で、しかも、安価で製造できることから、専用工具を用いる場合に比べて、大幅な低コスト化を実現できる。さらに、光コネクタ用楔挿脱部品を光コネクタに取り付けておき（取り付けたものが楔部品付き光コネクタ）、クランプに光ファイバを挿入した後、光コネクタから光コネクタ用楔挿脱部品を離脱させるだけで、光ファイバ先端への光コネクタの組み立てを実現できるので、従来の専用工具を用いた場合に必要となる、ホルダ部に光コネクタを嵌め込むようにして精密に位置決め支持させる作業が不要になり、組み立て作業も非常に簡単になる。また、楔部品付き光コネクタ及び光コネクタ用楔挿脱部品は、小型化が容易であり、例えば光接続箱等の各種装置内でも、光ファイバ先端への光コネクタの組み立てを容易に行える。さらに、光コネクタ用楔挿脱部品は、離脱部品の離脱用挿入片を、光コネクタと楔付き部品との間に割り込ませることで、光コネクタと楔付き部品との間を押し広げて、光コネクタのクランプ部に挿入状態になっている楔をクランプ部から抜き出す構成になっているので、クランプ部からの楔の引き抜きを軽い力で、簡単に行える利点がある。
【発明を実施するための最良の形態】
【０００９】
以下、本発明の一実施形態について、添付図面を参照しながら説明する。
【００１０】
（第１実施形態）
図１〜図４は本発明の第１実施形態による楔部品付き光コネクタ１及び光コネクタ用楔挿脱部品２を示す図であって、図１は分解斜視図である。また、図２〜図４は楔部品付き光コネクタ１及び光コネクタ用楔挿脱部品２の組み立て状態を示す図であって、図２は斜視図、図３は正面図、図４（ａ）は断面図、図４（ｂ）は下面側から楔付き部品２１のベース部２１２を透視して示した図である。
【００１１】
図１〜図４に示すように、前記楔部品付き光コネクタ１は、光コネクタ３（光コネクタプラグ）の外側に光コネクタ用楔挿脱部品２を組み付けた構成のものである。図示例の光コネクタ３は、所謂ＳＣ２形光コネクタであり、ＳＣ形光コネクタ（ＳＣ:Single fiber Coupling optical fiber connector。ＪＩＳ  Ｃ  ５９７３に制定されるＦ０４形光コネクタ（光コネクタプラグ）など）から、該ＳＣ形光コネクタのプラグフレーム３３（図５参照）の外側に装着されるつまみを省略したものである。
なお、光コネクタ３としては、前述のＳＣ２形光コネクタに限定されず、各種の光コネクタプラグを採用可能である。
【００１２】
まず、光コネクタ３について説明する。
図５、図６は光コネクタ３の構造を示す図であり、図５は分解斜視図、図６は断面図である。図５、図６において、この光コネクタ３は、フェルール３１と、このフェルール３１の接合端面（符号３１ａ。先端面）に対向する後端側に配置されたクランプ部３２と、フェルール３１を収納するようにしてその外側にフェルール３１の軸回りの回転を規制して装着されるスリーブ状のプラグフレーム３３と、プラグフレーム３３の後端（図６右側）に係合して取付けられ、前記クランプ部３２を収容するストップリング３４と、このストップリング３４内に内装されたスプリング３５とを備えている。
なお、符号３４ａ、３４ｂは、光コネクタ用楔挿脱部品２（開放部材）の楔２２（図４等参照）を差し込む差込口を示し、符号３６は、ストップリング３４の後端に装着されるブーツを示す。
【００１３】
クランプ部３２は、フェルール３１のフランジ部３１ｂから光コネクタ３の後端側へ向かって延びる延出部３１ｃに複数の部材を取り付けた構成であり、フェルール３１と一体となっており、以下、クランプ部３２が組み立てられているフェルール３１を、「クランプ部付きフェルール３７」と称して説明する場合がある。
クランプ部付きフェルール３７のクランプ部３２は、スリーブ状のストップリング３４の軸方向に移動自在としてストップリング３４に収納されている。スプリング３５は、ストップリング３４の後端部に反力を取ってクランプ部３２を光コネクタ３の先端側（図６左側）に押圧することで、クランプ部付きフェルール３７全体を光コネクタ３先端側に付勢するものであり、例えば、光コネクタ３を光コネクタアダプタ等に挿入して別の光コネクタと接続する時に、フェルール３１に、接続の相手側の光コネクタとの間の突き合わせ力を与える機能を果たす。
なお、クランプ部付きフェルール３７は、フェルール３１のフランジ部３１ｂが、プラグフレーム３３内に突設されているストッパ突起３３ａに当接することで、ストップリング３４に対する光コネクタ３先端側へのそれ以上の移動（ストップリング３４に対する相対的な移動）が規制される。
【００１４】
図７は、クランプ部付きフェルール３７を示す斜視図、図８は、クランプ部付きフェルール３７のクランプ部３２を構成する２つの蓋側素子３２１、３２２、及び、ベース側素子（延出部３１ｃ）の、合わせ面を示す図である。
図６〜図８に示すように、クランプ部３２は、フェルール３１のフランジ部３１ｂから延びる延出部３１ｃと、この延出部３１ｃの合わせ面３２４ａ上に配置された蓋側素子３２１ａ、３２１ａとを、断面Ｃ形のスリーブ状のバネ３２２（Ｃ形バネ）の内側に収容した構造になっている。延出部３１ａは、クランプ部３２を構成する半割りの素子の一方（以下、素子３１ａと称する場合もある）、二つの蓋側素子３２１ａ、３２１ｂは、クランプ部３２を構成する半割りの素子の他方（素子３２１）を構成しており、クランプ部３２は、一対の半割り素子３１ａ、３２１の間で、光ファイバをクランプする構造になっている。二つの蓋側素子３２１ａ、３２１ｂは、一方（素子３２１ａ）が他方（素子３２１ｂ）よりもフェルール３１側となるようにして、光コネクタ３の前後方向（図６左右）に配列されているが、バネ３２２は、二つの蓋側素子３２１ａ、３２１ｂの間の境界付近でバネ３２２に形成されているスリット３２２ａによって、該バネ３２２の弾性を、二つの蓋側素子３２１ａ、３２１ｂに別個に作用させるようになっている。然るに、一方の蓋側素子３２１ａと延出部３１ａの組、他方の蓋側素子３２１ｂと延出部３１ａの組は、それぞれ、独立のクランプ部としても機能し得る。
【００１５】
本発明に係る楔部品付き光コネクタ１では、光コネクタ用楔挿脱部品２の楔付き部品２１に突設されている楔２２（図１、図３、図４参照）が、光コネクタ３の外側からストップリング３４の差込口３４（３４ａ、３４ｂ）を介して、一対の素子３１ｃ、３２１の間（すなわち、延出部３１ｃの素子３２１に対する合わせ面と、蓋側素子３２１、３２２の素子３１ｃに対する合わせ面との間）に割り込ませたことにより、一対の素子３１ｃ、３２１の間が、バネ３２２の弾性に抗して若干押し開かれた状態になっている。
また、ストップリング３４の２つの差込口３４（３４ａ、３４ｂ）は、２つの蓋側素子３２１に対応する２つのクランプ部に対応する位置に開口されており、光コネクタ用楔挿脱部品２の楔付き部品２１の一対の側壁２２ｂ、２２ｃを連結する底壁２２ｅから、収容凹所２１１内に突出されている２つの楔２２は、２つの差込口３４を介して、素子３１ｃと素子３２１ａとの間、素子３１ｃと素子３２１ｂとの間に、それぞれ挿入されている。
なお、バネ３２２の形状は、断面コ字形のものなど、各種採用可能である。
【００１６】
次に、光コネクタ用楔挿脱部品２を図１〜図４を参照して説明する。
図１〜図４に示すように、光コネクタ用楔挿脱部品２は、光コネクタ３の外側に装着するようにして取り付けられる楔付き部品２１と、この楔付き部品２１を前記光コネクタ３から離脱させるための離脱部品２３の、２部品によって構成されている。
ここで、光コネクタ用楔挿脱部品２の楔付き部品２１及び離脱部品２３は、それぞれ合成樹脂製の一体成形品であるが、本発明においては、これに限定されず、複数部品によって形成されたものであっても構わない。前記楔付き部品２１は、楔２２も含めて全体が樹脂成形された１部品になっている。
【００１７】
前記楔付き部品２１は、断面コ字状の細長形状に形成されており、その内側が、光コネクタ３を取り出し可能に収容するコネクタ収容領域としての収容凹所２１１となっている。この楔付き部品２１は、前記収容凹所２１１の底面２１１ａを形成するベース部２１２と、このベース部２１２の対向する両側から突設された一対の突壁２１３とを有している。前記楔２２は、前記ベース部２１２から突出する突起であり、楔付き部品２１の長手方向に間隔をおいて２箇所に突設されている。前記収容凹所２１１は、ベース部２１２と一対の突壁２１３とによって囲まれる内側の空間であり、光コネクタ３は、差込口３４ａ、３４ｂがベース部２１２側となる向きで収容凹所２１１に収容される。
ここで、両突壁２１３は、収容凹所２１１に収容した光コネクタ３を衝突物から保護したり、離脱部品２３を使用した離脱作業時に作用する力や衝突物の衝突に対して、クランプ部３２に対する楔２２の挿入向きを安定に保って、クランプ部３２の変形や損傷を防止する等の役割を果たす。各突壁２１３のベース部２１２側の突出基端部に形成された開口部２１４は、離脱部品２３の離脱用挿入片２３１を通すためのものである。
【００１８】
離脱部品２３は、操作部２３２と、この操作部２３２から突出する細長板状の離脱用挿入片２３１とを有する構造になっている。離脱用挿入片２３１は３本形成されており（符号２３１ａ〜ｃ）、これらの離脱用挿入片２３１は、操作部２３２から互いに並行に延びる突片になっている。また、隣り合う離脱用挿入片２３１の間には、スリット２３３が確保されている。
離脱用挿入片２３１は、先端に尖鋭部２３４ａを有する板状の挿入配置部２３４（板状部）と、この挿入配置部２３４よりも、前記離脱用挿入片２３１の前記操作部２３２からの突出基端部の側に位置し、前記挿入配置部２３４よりも厚い板状に形成された基端部２３５とを有している。また、基端部２３５と前記挿入配置部２３４との間には、前記挿入配置部２３４側から基端部２３５側に行くに従って次第に厚みが増大するテーパ状のテーパ部２３６が形成されている。このテーパ部２３６は、前記楔付き部品２１のベース部２１２と前記光コネクタ３との間に挿入することで、前記楔付き部品２１と光コネクタ３との間を押し開く機能を果たすものである。
【００１９】
楔部品付き光コネクタ１では、離脱部品２３は、楔付き部品２１の外側から、楔付き部品２１の一対の突壁２１３の開口部２１４に刺し通すようにして挿入した離脱用挿入片２３１の挿入配置部２３４が、楔付き部品２１（詳しくはベース部２１２）と光コネクタ３との間に挟み込まれて、光コネクタ３や楔付き部品２１から離脱しないようになっている。挿入配置部２３４は、断面寸法（ここで具体的には厚みｄ）が、前記光コネクタ３の前記クランプ部３２の素子３１ｃ、３２１間に前記楔２２が割り込まれた状態に何等影響を与えない大きさになっている。
クランプ部３２の素子３１ｃ、３２１間に割り込まれた前記楔２２は、クランプ部３２のバネ３２２の弾性によって素子３１ｃ、３２１間にクランプ保持されて、容易には引き抜けないようになっている。このため、この楔部品付き光コネクタ１では、例えば出荷後の搬送等によって、光コネクタ３から楔付き部品２１や離脱部品２３が脱落するといった不都合が生じにくくなっている。テーパ部２３６は、楔付き部品２１（詳しくはベース部２１２）と光コネクタ３との間に割り込まない位置に配置されることは言うまでも無い。また、操作部２３２は、一方の突壁２１３（区別のため、符号２１３ａを付して説明する場合がある。なお、この突壁２１３ａに対して収容凹所２１１を介して対向する突壁には、符号２１３ｂを付して説明する場合がある）の外面側に配置され、光コネクタ３から楔付き部品２１を離脱させる際に、離脱部品２３を操作するためのハンドルとして機能する。
【００２０】
この楔付き光コネクタ１は、光コネクタ用楔挿脱部品２の楔付き部品２１の楔２２が、延出部３１ｃと蓋側素子３２１、３２２との間に割り入れられて、延出部３１ｃと蓋側素子３２１、３２２との間が、バネ３２２の弾性に抗して若干押し開かれた状態になっている。この状態では、光コネクタ３後端側から、クランプ部３２の一対の素子３１ｃ、３２１の間に対する光ファイバ４の挿脱が可能である。ここでは、図７に例示したように、光ファイバ４として、単心の光ファイバ心線を採用している。クランプ部３２の一対の素子３１ｃ、３２１の間には、フェルール３１に内挿固定されている光ファイバ３８（以下、フェルール側光ファイバとも言う）がフェルール３１後端から突出した部分である突出部３８ａが挿入されており、前記光ファイバ４を、クランプ部３２の後端側から一対の素子３１ｃ、３２１の間に挿入すると、前記光ファイバ３８（詳細には突出部３８ａ）に対して突き合わせ接続することができる。
なお、光ファイバとしては、光ファイバ心線に限定されず、例えば光ファイバ素線、光ファイバコード等も採用可能である。
【００２１】
すなわち、クランプ部３２内で光ファイバ４、３８同士を接続するには、裸光ファイバ４ａが露出されている先端を、クランプ部３２にその後端側から、クランプ部３２の一対の素子３１ｃ、３２１の一方又は両方の合わせ面（ここでは、素子３１ｃの合わせ面３２４ａと、素子３２１ｂの合わせ面３２４ｂの両方。図６、図８等参照）に形成されている溝３２５ａ、３２５ｂに挿入していく。この溝３２５ａ、３２５ｂは、一対の素子３１ｃ、３２１の間で丁度対面する位置に形成されており、光ファイバ４の被覆部分を収納し、かつ、クランプ部３２から楔２２を離脱したときに、光ファイバ４の被覆部分をバネ３２２の弾性（クランプ力）によってしっかりとクランプ固定できる形状になっている。
【００２２】
前記溝３２５ａ、３２５ｂは、クランプ部３２の後端部に開口する開口部３２５ｃから、フェルール３１に向かって延在するように形成されており、フェルール３１側の端部が、クランプ部３２の一対の素子３１ｃ、３２１の一方又は両方の合わせ面（ここでは、素子３１ｃの合わせ面３２４ａのみ）に形成されている調心溝３２３と連通されている。この調心溝３２３には、前記フェルール側光ファイバ３８（ここでは裸光ファイバ）が収納されて精密に位置決め調心されている。溝３２５ａ、３２５ｂに押し込んだ光ファイバ４を、さらに、フェルール３１側へ押し込んでいくと、光ファイバ４先端の裸光ファイバ４ａを、溝３２５ａ、３２５ｂから調心溝３２３に挿入していくことができ、調心溝３２３にて、フェルール側光ファイバ３８（詳細には突出部３８ａの先端）に対して、調心溝３２３の調心精度によって精密に位置決め調心した状態で突き合わせ接続させることができる。
【００２３】
光ファイバ４、３８同士の突き合わせ接続が完了したら、光コネクタ用楔挿脱部品２を、光コネクタ３から離脱させる。この離脱操作は、離脱部品２３を、楔付き部品２１に対して押し込むことで、前記楔付き部品２１を前記光コネクタ３から離脱させれば良い（図９（ａ）、（ｂ）参照）。
すなわち、離脱部品２３の、楔付き部品２１に対する押し込みは、例えば、使用者が手指で、離脱部品２３の操作部２３２を押圧して、離脱部品２３の離脱用挿入片２３１の楔付き部品２１に対する挿入量を深くする。すなわち、楔付き部品２１に対する離脱部品２３の押し込み開始前には、楔付き部品２１の一対の突壁２１３の内、離脱部品２３の操作部２３２が配置されている側の突壁２１３ａの外面と操作部２３２との間に、離脱用挿入片２３１の露出長Ｌ（図４（ａ）参照）が確保されているが、操作部２３２を突壁２１３ａに向かって押圧するようにして離脱部品２３を押圧操作することで、前記露出長を縮小、あるいは、無くすようにする。これにより、前記光コネクタ３と前記楔付き部品２１（詳しくはベース部２１２）との間に、離脱用挿入片２３１の前記テーパ部２３６が割り込ませるようにして挿入されて、前記テーパ部２３６によって前記楔付き部品２１と前記光コネクタ３との間が押し開かれる。
【００２４】
テーパ部２３６の最大寸法部分、すなわち、テーパ部２３６の厚みが最も大きい部分が、前記光コネクタ３と前記楔付き部品２１（詳しくはベース部２１２）との間に挿入されると、楔付き部品２１の楔２２が、一対の素子３１ｃ、３２１の間から抜け出て、バネ３２２の弾性によって、一対の素子３１ｃ、３２１の間に光ファイバ４、３８が挟み込まれるようにしてクランプ固定され、光ファイバ４、３８同士の接続状態が安定に維持される。これにより、光ファイバ４先端に光コネクタ３が組み立てられる。
なお、楔付き部品２１の楔２２が、一対の素子３１ｃ、３２１の間から抜け出ても、光コネクタ３は、一対の突壁２１３の間に保持されているが、一対の突壁２１３の間から光コネクタ３を取り出すことは、小さい力で簡単に行える。
【００２５】
本願発明に係る、楔部品付き光コネクタ１及び光コネクタ用楔挿脱部品２によれば、従来のような専用工具を用いることなく、光ファイバ４先端に光コネクタ３を組み立てることができる。また、光コネクタ用楔挿脱部品２は、構造が非常に簡単で、しかも、安価で製造できることから、専用工具を用いる場合に比べて、大幅な小型化、低コスト化を実現できる。さらに、光コネクタ用楔挿脱部品２を光コネクタ３に取り付けておき、クランプ部３２に光ファイバ４を挿入した後、光コネクタ３から光コネクタ用楔挿脱部品２を離脱させるだけで、光ファイバ４先端への光コネクタ３の組み立てを実現できるので、従来の専用工具を用いた場合に必要となる、ホルダ部に光コネクタを嵌め込むようにして精密に位置決め支持させる作業が不要になり、組み立て作業も非常に簡単になる。
【００２６】
ところで、この楔部品付き光コネクタ１では、前記光コネクタ３の前記クランプ部３２の素子３１ｃ、３２１間に前記楔２２が割り込まれた状態では、前記楔２２が、クランプ部３２のバネ３２２の弾性によって素子３１ｃ、３２１間にクランプ保持されて、容易には引き抜けず、したがい、光コネクタ３から楔付き部品２１が脱落しにくい反面、楔付き部品２１を、直接、手指で引っ張り操作して、光コネクタ３から離脱しようとしても、離脱は容易では無い。しかしながら、本発明に係る楔付き光コネクタ１並びに光コネクタ用楔挿脱部品２では、離脱部材２３を押し込み操作して、前記光コネクタ３と前記楔付き部品２１（詳しくはベース部２１２）との間に、離脱用挿入片２３１の前記テーパ部２３６を割り込ませるようにして挿入して、前記テーパ部２３６によって前記楔付き部品２１と前記光コネクタ３との間を押し開くことで、光コネクタ３の前記クランプ部３２の素子３１ｃ、３２１間から前記楔２２を抜き出すようになっているため、離脱部材２３を押し込み操作する力は、楔付き部品２１を、直接、手指で引っ張り操作する場合に比べて弱いもので済み、軽い力で、楔付き部品２１の光コネクタ３からの離脱を実現できる。
【００２７】
楔部品付き光コネクタ１及び光コネクタ用楔挿脱部品２は小型に形成できることも関係して、例えば、楔付き部品２１を保持した手の手指で、離脱部材２３を押し込み操作して、楔付き部品２１の光コネクタ３からの離脱作業を、片手で行うことも可能である（例えば、親指以外の指で楔付き部品２１を保持し、親指で離脱部品２３の操作部２３２を押し込み操作する）。また、軽い力で、楔付き部品２１の光コネクタ３からの離脱を実現できることから、光コネクタ３のクランプ部３２のバネ３２２の弾性によって素子３１ｃ、３２１間に前記楔２２をクランプ保持する保持力を高めて、離脱部品２３の操作による離脱操作前に、光コネクタ３から楔付き部品２１が不用意に脱落することをより確実に防止できるようになるといった利点もある。
【００２８】
また、光コネクタ３のクランプ部３２は、高精度に加工されたサイズの小さい部品によって構成されているため、楔の圧入によってクランプ部３２を開放する作業や、クランプ部３２からの楔の引き抜きの作業において、クランプ部３２に対する楔の傾斜等によって、素子３１ｃ、３２１に変形を与えるなどといった不都合を生じさせないようにする必要があるが、本発明に係る楔部品付き光コネクタ１並びに光コネクタ用楔挿脱部品２によれば、簡易な構造でありながら、素子３１ｃ、３２１の変形等の不都合を生じにくい利点がある。例えば、素子３１ｃ、３２１の歪みが、調心溝３２３の調心精度に影響すると、この調心溝３２３によって位置決め調心して突き合わせ接続される光ファイバ４、３８間の微小な芯ズレ等の原因になる可能性があるが、本発明に係る楔部品付き光コネクタ１並びに光コネクタ用楔挿脱部品２では、構成が簡単でありながら、このような不都合が生じにくく、光ファイバ４、３８の光特性の安定確保等を実現できる。
【００２９】
例えば、クランプ部３２の開放作業時には、素子３１ｃ、３２１間に楔を斜め差ししたり、素子３１ｃ、３２１同士の合わせ目に対して楔の位置ズレが存在したまま、楔の圧入を無理に行ってしまうと、素子３１ｃ、３２１に局所的な押圧力の集中によって変形、歪み、破損等を生じさせる可能性があるが、本発明に係る楔部品付き光コネクタ１及び光コネクタ用楔挿脱部品２では、例えば、図１０に示すように、楔付き部品２１の突壁２１３の対の間の収容凹所２１１に光コネクタ３を押し込んで行くことで、楔付き部品２１の楔２２をクランプ部３２の素子３１ｃ、３２１間に割り込ませて、楔付き部品２１を光コネクタ３に組み付けることができ、このとき、突壁２１３の対が光コネクタ３を両側から挟み込むようにして、光コネクタ３を楔２２に対して位置決めするガイド部材としての機能を果たすため、クランプ部３２の素子３１ｃ、３２１間に対する楔２２の斜め差しを防止でき、素子３１ｃ、３２１を傷める心配が無い。また、楔２２が合成樹脂製であることも、素子３１ｃ、３２１を傷めることの防止に寄与する。このような構成であれば、例えば、現場等にて、光コネクタ３と光コネクタ用楔挿脱部品２とによって、楔部品付き光コネクタ１を組み立てる場合でも、素子３１ｃ、３２１間に楔２２を割り込ませてクランプ部３２を開放する作業を、素子３１ｃ、３２１を傷めることなく、行うことができる。
【００３０】
また、光ファイバ４の挿入後、クランプ部３２から楔３２を引き抜いてクランプ部３２を閉じ、光ファイバ４、３８を、突き合わせ接続状態を保ったまま素子３１ｃ、３２１間にクランプ保持する作業（楔の引き抜き作業）でも、楔２２からクランプ部３２の素子３１ｃ、３２１に捻り等の力を作用させて、素子３１ｃ、３２１に変形、歪み、破損等を与えてしまうといった不都合が生じないようにする必要がある。この点、本発明に係る楔部品付き光コネクタ１並びに光コネクタ用楔挿脱部品２は、楔付き部品２１の突壁２１３の対の間に光コネクタ３を保持したまま、離脱部品２３の操作によって、離脱部品２３のテーパ部２３６を、光コネクタ３と楔付き部品２１（詳細にはベース部２１２）との間に割り込ませることで、光コネクタ３のクランプ部３２から楔２２を抜き出すようになっているため、楔２２の引き抜き作業中に、光コネクタ３のクランプ部３２に対して、楔２２が斜めに引き抜かれたり、捻り力を与えるいったことが生じにくく、引き抜き作業中に素子３１ｃ、３２１を傷めるといった不都合が生じにくい。また、素子３１ｃ、３２１に無用な応力を作用させずに、楔の引き抜き作業を行える構成であれば、クランプ部３２内での光ファイバ４、３８の位置ズレや、素子の位置ズレ等によって、光ファイバ４、３８の一部分にクランプ力が偏在するなどといったクランプ不良も確実に防止できる。
【００３１】
離脱部品２３は、楔付き部品２１に突設されている２つの楔２２を、３本の離脱用挿入片２３１ａ、２３１ｂ、２３１ｃの隣り合う離脱用挿入片２３１の間に確保したスリット２３３に収容するようにして、この２つの楔２２と、収容凹所２１１の両側の突壁２１３の開口部２１４内面とをガイドとして、収容凹所２１１の底面２１１ａに摺動しつつ、楔付き部品２１に対してスライド移動することで、位置ズレを生じることなく円滑に移動して、テーパ部２３６によって、光コネクタ３と楔付き部品２１（詳しくはベース部２１２）との間を押し開くようになっているため、光コネクタ３のクランプ部３２から楔２２を抜き出す作業にて、楔２２が斜めに引き抜かれたり、捻り力を与えるいったことが生じにくく、引き抜き作業中に素子３１ｃ、３２１を傷めるといった不都合が生じにくくなっている。
なお、楔付き部品２１に対する離脱部品２３の移動をガイドする手段としては、前述の楔２２、及び、一対の突壁２１３（具体的には開口部２１４内面）の、合計３つの内の、少なくとも２つの組み合わせであっても良い。また、一対の突壁２１３の開口部２１４や、楔２２の他、例えば、楔付き部品２１のベース部２２１２に形成したガイド溝や、楔２２以外に形成したガイド突起など、各種構成が採用可能である。
【００３２】
楔の引き抜き作業では、例えば、クランプ部３２において、２つの蓋側素子３２１ａ、３２１ｂの内のフェルール３１側の蓋側素子３２１ａによって構成されるクランプ部（蓋側素子３２１ａと延出部３１ｃとの間に光ファイバ４ａ、３８を挟み込む部分）に比べて、蓋側素子３２１ｂと延出部３１ｃとによって構成されるクランプ部の方が、先行して楔２２の引き抜きが完了して、蓋側素子３２１ａと延出部３１ｃとによって光ファイバ４ａ、３８をクランプ保持する動作が、蓋側素子３２１ｂと延出部３１ｃとによる光ファイバ４のクランプ保持の完了後になった場合に、光ファイバ４ａ、３８の突き合わせ力が過剰となる傾向があり、これが、光ファイバ４ａ、３８の先端を傷める原因になる可能性がある。
しかしながら、本発明に係る楔部品付き光コネクタ１並びに光コネクタ用楔挿脱部品２では、楔付き部品２１に対する離脱用挿入片２３１のスライド移動によって、３本の離脱用挿入片２３１ａ、２３１ｂ、２３１ｃにそれぞれ形成されているテーパ部２３６が、楔付き部品２１のベース部２１２と光コネクタ３との間に、同時に割り込まれるようになっており、２つの楔２２について、一対の素子３１ｃ、３２１の間からの引き抜きが同時になされるようになっているため、クランプ部３２において、蓋側素子３２１ａと延出部３１ｃとによって光ファイバ４ａ、３８をクランプ保持する動作が、蓋側素子３２１ｂと延出部３１ｃとによる光ファイバ４のクランプ保持の完了後になるといった現象は生じにくい。
【００３３】
また、楔２２は、詳細には、楔付き部品２１から突出する楔本体部２２ａの突出先端に、クランプ部３２の一対の素子３１ｃ、３２１の間に挿入可能な小突起状の挿入先端部２２ｂが突設された構造であり、光コネクタ３の楔２２への押し込みによって、クランプ部３２の一対の素子３１ｃ、３２１の間に楔２２を割り込ませる場合、楔２２の楔本体部２２ａと挿入先端部２２ｂとの間の段差によって、素子３１ｃ、３２１が楔本体部２２ａに突き当たったところで、光コネクタ３の楔２２へのそれ以上の押し込みが規制されるようになっている。すなわち、楔２２の内、クランプ部３２の一対の素子３１ｃ、３２１の間に挿入されるのは、挿入先端部２２ｂのみであり、楔本体部２２ａは、楔２２へのクランプ部３２の押し込み限界を設定するストッパとして機能する。
【００３４】
例えば、楔付き部品２１から突出する２つの楔２２について、挿入先端部２２ｂの楔本体部２２ａからの突出寸法が異なる（換言すれば、クランプ部３２に対する挿入深さが異なる）ように調整すると、離脱部品２を操作して楔付き部品２１（詳しくはベース部２１２）と光コネクタ３との間の押し開いたときに、蓋側素子３２１ａと延出部３１ｃとによる光ファイバ４ａ、３８のクランプ保持が、蓋側素子３２１ｂと延出部３１ｃとによる光ファイバ４のクランプ保持よりも先行して完了することも可能である。例えば、フェルール側の蓋側素子３２１ａに係るクランプ部に挿入される楔２２に比べて、後端側の蓋側素子３２１ｂに係るクランプ部に挿入される楔２２の方が、挿入先端部２２ｂの突出寸法を大きくする（クランプ部３２に対する挿入量を大きくする）と、フェルール側の蓋側素子３２１ａに係るクランプ部が閉じられた後、後端側の蓋側素子３２１ｂに係るクランプ部が閉じられるように、複数のクランプ部について閉じるタイミングを制御できる。
なお、この場合、離脱部品２の３本の離脱用挿入片２３１ａ、２３１ｂ、２３１ｃのテーパ部２３６の形成位置や形状等は変更する必要は無く、楔付き部品２１（詳しくはベース部２１２）と光コネクタ３との間の押し開き自体は、素子３１ｃ、３２１からの楔２２の引き抜き方向が斜めにならないようにしておけば良い。
【００３５】
（第２実施形態）
図１１〜図１３は、本発明に係る楔部品付き光コネクタ並びに光コネクタ用楔挿脱部品の第２実施形態を示す。
図１１〜図１３に示す楔部品付き光コネクタ５は、板状の本体５１（台座）の上面５２上に楔５３を突設した構造の楔付き部品５４と、概略Ｕ字に形成された板状の部材である離脱部品５５とを、光コネクタ３に組み付けた構造になっている。この実施形態に係る光コネクタ用楔挿脱部品５６は、楔付き部品５４と、離脱部品５５によって構成されている。
【００３６】
楔付き部品５４と離脱部品５５とは、合成樹脂製の一体成型品であるが、材質は合成樹脂に限定されず、また、複数部材によって組み立てた構成であっても良い。
２つの楔５３は、ストップリング３４の２つの差込口３４（３４ａ、３４ｂ）に対応（換言すれば、クランプ部３２の二つの蓋側素子の対応する２つのクランプ部に対応）させて、クランプ部３２に挿入可能な位置に突設されているが、楔５３の数、本体５１上での突設位置は、光コネクタ３のクランプ部３２の構造に応じて適宜設定できる。
また、本体５１の前記上面５２に対向する下面５４を作業台上に載せ、本体５１上に突出している楔５３に、上から光コネクタ３を押し込むようにすると、簡単に楔５３をクランプ部３２の一対の素子３１ｃ、３２１間に割り込ませることができる。一対の素子３１ｃ、３２１間に楔５３を割り込ませると、素子３１ｃ、３２１間が開放された状態が維持され（以下、この状態を、クランプ部についても開放状態とも呼ぶこととする）、この開放状態では、素子３１ｃ、３２１間への光ファイバ４の挿入が可能である。楔５３をクランプ部３２の一対の素子３１ｃ、３２１間に割り込ませると、クランプ部３２のバネ３２２の弾性（クランプ力）によって楔５３が保持されることにより、楔付き部品５４を直接手指で引っ張り操作しても、光コネクタ３から容易には離脱させることはできない。
【００３７】
前記離脱部品５５は、弾性連結部５５１の両側から、一対の操作片５５２ａ、５５２ｂが延出された形状であり、前記弾性連結部５５１が「Ｕ」字の下端の湾曲部分を形成する部分であり、前記一対の操作片５５２ａ、５５２ｂが、前記湾曲部分から延びる２本の腕状の部分に相当する。一対の操作片５５２ａ、５５２ｂは間隔をおいて、並べて設けられており、この一対の操作片５５２ａ、５５２ｂの間には、光コネクタ３を収容可能な大きさの空間５５３が確保されている。
楔部品付き光コネクタ５においては、離脱部品５５は、前記空間５５３に光コネクタ３を収容して、楔付き部品５４の本体５１の上面５２上に立設するようにして設けられる。離脱部品５５の各操作片５５２ａ、５５２ｂの弾性連結部５５１からの突出先端には、空間５５３を介して対向する相手側の操作片に向けて突出する突起である離脱用挿入片５５４が突設されており、離脱部品５５は、両操作片５５２ａ、５５２ｂの離脱用挿入片５５４を、それぞれ、光コネクタ３と、クランプ部３２への楔５３の挿入によって光コネクタ３に取り付けられた楔付き部品５４の本体５１の上面５２との間に、該離脱用挿入片５５４の先端のみが入り込むようにすることで、光コネクタ３と楔付き部品５４とに対して組み付けるようにして取り付けられる。ここで、離脱用挿入片５５４は、その先端が、楔付き部品５４の本体５１の上面５２と光コネクタ３との間の隙間５７に入り込んだ状態が維持されるようにすることで、離脱部品５５が楔部品付き光コネクタ５から脱落することを防止するが、隙間５７へ強く押し込むような力は作用しておらず、光ファイバ４先端への光コネクタ３の組み立て作業を行うための離脱部品５５の操作を行わない限り、光コネクタ３と楔付き部品５４との間を押し開く働きをしない。
【００３８】
前記楔部品付き光コネクタ５は、開放状態のクランプ部３２に光ファイバ４を挿入した後、離脱部品５５の操作によって、楔付き部品５４の楔５３を光コネクタ３のクランプ部３２から抜き出してクランプ部３２を閉じ、クランプ部３２内での光ファイバ４、３８のクランプ保持によってクランプ部３２内での光ファイバ４、３８同士の接続状態を維持することで、光ファイバ４先端への光コネクタ３の組み立て作業を簡単に行えることは、前述の第１実施形態の楔部品付き光コネクタ１と同様である。
ここで、離脱部品５５の操作は、例えば使用者が手指で一対の操作片５５２ａ、５５２ｂを互い接近させる。離脱用挿入片５５４は、操作片５５２ａ、５５２ｂからの突出基端から突出先端に行くにしたがって太くなるテーパ状に形成されており、各操作片５５２ａ、５５２ｂの離脱用挿入片５５４が隙間５７に押し込まれ、光コネクタ３と楔付き部品５４との間に割り込まれると、光コネクタ３と楔付き部品５４との間を押し開くようになり、楔付き部品５４の楔５３を光コネクタ３のクランプ部３２から抜き出す。楔５３が光コネクタ３のクランプ部３２から抜き出されれば、光コネクタ３から楔付き部品５４が離脱され、離脱部品５５も光コネクタ３から離脱されることとなる。
なお、離脱部品５５の一対の操作片５５２ａ、５５２ｂを互い接近させる操作は、離脱部品５５の弾性連結部５５１の弾性に抗して行うものであり、この操作力を解除すれば、弾性連結部５５１の弾性によって、各操作片５５２ａ、５５２ｂが元の位置（操作前の位置）に復帰することは言うまでも無い。
【００３９】
この楔部品付き光コネクタ５では、離脱部品５５の一対の操作片５５２ａ、５５２ｂにそれぞれ突設されている離脱用挿入片５５４を、光コネクタ３と楔付き部品５４（具体的には本体５１）との間に割り込ませて、光コネクタ３から楔付き部品５４を離脱させる構成であるので、楔付き部品５４の楔５３の、光コネクタ３のクランプ部３２におけるクランプ力が強くても、比較的軽い力で、光コネクタ３から楔付き部品５４を離脱させることができる。特に、離脱部品５５は、弾性連結部５５１を介して両側の操作片５５２ａ、５５２ｂのそれぞれの先端にある離脱用挿入片５５４を、光コネクタ３と楔付き部品５４との間に割り込ませる構成であり、一対の操作片５５２ａ、５５２ｂを互いに接近させる操作によって、光コネクタ３と楔付き部品５４（具体的には本体５１）との間に対向する両側から離脱用挿入片５５４を割り込ませるようになっており、構成が非常に簡単でありながら、一対の操作片５５２ａ、５５２ｂを操作する力が、光コネクタ３と楔付き部品５４（具体的には本体５１）との間の隙間５７への離脱用挿入片５５４の押し込み力として、効率良く作用させることができるものであり、光コネクタ３と楔付き部品５４（具体的には本体５１）との間を押し開く作業に要する力が非常に軽くて済むといった利点がある。また、一対の操作片５５２ａ、５５２ｂの離脱用挿入片５５４を、光コネクタ３と楔付き部品５４（具体的には本体５１）との間に、対向する両側から割り入れる構成であれば、光コネクタ３には、実質的に、楔５３に沿って楔付き部品５４から離脱する方向への力が作用することになり、クランプ部３２を傷めるような斜め方向の力が作用しにくいといった利点もある。
【００４０】
光コネクタ用楔挿脱部品５６は、例えば、現場等にて、光コネクタ３の外側に組み立てて、楔部品付き光コネクタ５を組み立てることに用いることも可能である。
【００４１】
なお、楔付き部品５４や離脱部品５５の具体的構成は、前述した実施の形態に限定されず、適宜変更可能であることは言うまでも無い。例えば、前記離脱部品５５は、操作片５５２ａ、５５２ｂにそれぞれ１つづつ形成した離脱用挿入片５５４を、楔付き部品５４の２つの楔５３の間となる位置で、光コネクタ３と楔付き部品５４（具体的には本体５１）との間の隙間５７に押し込んで、光コネクタ３と楔付き部品５４（具体的には本体５１）との間を押し開くようになっているが、例えば、離脱用挿入片を操作片先端から突出する複数本の突片によって形成したもの、楔付き部品５４に対して係合する脱落防止用の係合部を有するもの等、各種構成が採用可能である。
また、前述の実施形態では、単心用の光コネクタ３を単心光ファイバ先端に組み立てる構成の楔部品付き光コネクタ、及び、これに適用される光コネクタ用楔挿脱部品を例示したが、本発明はこれに限定されず、例えば、多心用の光コネクタを多心光ファイバ（光ファイバテープ心線等）の先端や、複数本の単心光ファイバの先端に組み立てる構成の楔部品付き光コネクタ、及び、これに適用される光コネクタ用楔挿脱部品にも応用できる。
【産業上の利用可能性】
【００４２】
作業スペースが狭いところでも、光ファイバ先端への光コネクタの組み立てが可能であるため、例えば、光ファイバの余長を収納する余長収納ケース等の機器に、クランプ部を有する光コネクタ、あるいは、楔部品付き光コネクタを予め組み込んでおいた製品（光コネクタ付き機器）などにも適用できる。機器に取り付けた状態を維持したまま、光コネクタ用楔挿脱部品によって、光コネクタのクランプ部の開閉操作が可能であれば、機器から光コネクタを取り出すことなく、光ファイバ先端への光コネクタの組み立てを行えるため、作業性を向上できる。
【図面の簡単な説明】
【００４３】
【図１】本発明の第１実施形態による楔部品付き光コネクタ及び光コネクタ用楔挿脱部品を示す分解斜視図である。
【図２】図１の楔部品付き光コネクタの組み立て状態を示す斜視図である。
【図３】図２の楔部品付き光コネクタを示す正面図である。
【図４】図２の楔部品付き光コネクタを示す図であって、（ａ）は断面図、（ｂ）は下面側から見た図である。
【図５】図１の楔部品付き光コネクタを構成する光コネクタ（光コネクタプラグ）の分解斜視図である。
【図６】図５の光コネクタ（光コネクタプラグ）の断面図である。
【図７】図５の光コネクタに内蔵されているクランプ部付きフェルールを示す斜視図である。
【図８】図１のクランプ部付きフェルールのクランプ部を構成する各素子の合わせ面を示す図である。
【図９】図１の楔部品付き光コネクタ及び光コネクタ用楔挿脱部品の作用を示す図であって、（ａ）は離脱部品の押し込み操作によって、光コネクタのクランプ部から楔を引き抜いた状態を示す断面図、（ｂ）は（ａ）の状態を下面側から見た図である。
【図１０】光コネクタ用楔挿脱部品に対して光コネクタを取り付ける工程において、楔付き部品の収容凹所に対する光コネクタの押し込み前を示す断面図である。
【図１１】本発明の第２実施形態による楔部品付き光コネクタ及び光コネクタ用楔挿脱部品を示す断面図である。
【図１２】図１１の楔部品付き光コネクタ及び光コネクタ用楔挿脱部品を示す正面図である。
【図１３】図１１の楔部品付き光コネクタ及び光コネクタ用楔挿脱部品を示す平面図である。
【符号の説明】
【００４４】
１…楔部品付き光コネクタ、２…光コネクタ用楔挿脱部品、３…光コネクタ、４…光ファイバ、４ａ…裸光ファイバ、２１…楔付き部品、２１２…ベース部、２１３，２１３ａ，２３１ｂ…突壁、２１４…開口部、２２…楔、２３…離脱部品、２１３…離脱用挿入片、２３２…操作部、２３４…挿入配置部、２３６…テーパ部、３１…フェルール、３１ａ…先端面（接合端面）、３１ｃ…素子（延出部）、３２…クランプ部、３２１，３２１ａ，３２１ｂ…素子（蓋側素子）、３２２…バネ、３８…フェルール側光ファイバ、５…楔部品付き光コネクタ、５３…楔、５４…楔付き部品、５５…離脱部品、５５４…離脱用挿入片、５６…光コネクタ用楔挿脱部品。
【図１】
2005062514.tif 000003
【図２】
2005062514.tif 000004
【図３】
2005062514.tif 000005
【図４】
2005062514.tif 000006
【図５】
2005062514.tif 000007
【図６】
2005062514.tif 000008
【図７】
2005062514.tif 000009
【図８】
2005062514.tif 000010
【図９】
2005062514.tif 000011
【図１０】
2005062514.tif 000012
【図１１】
2005062514.tif 000013
【図１２】
2005062514.tif 000014
【図１３】
2005062514.tif 000015